(57)【要約】      （修正有）【課題】自家動力型ハンドレール殺菌装置及びハンドレール殺菌装置を利用した出入者情報収集装置を提供する。【解決手段】自家動力型ハンドレール殺菌装置１００は、エスカレーターＥ、または、ムービングウォークのハンドレールＨに締結される開口部を備えるハウジングと、前記ハウジングの内側に設置されて、ハンドレールＨの駆動による回転運動を電力に変換する電力部と、ハウジングの開口部の内面に設置され、前記電力部からの電力によりハンドレールＨに対して殺菌光を照射する紫外線ランプモジュールとを含む。【選択図】図１
0003215321.tif 000002
【実用新案登録請求の範囲】
【請求項１】
エスカレーターまたはムービングウォークのハンドレールに締結される開口部を備えるハウジングと、
前記ハウジングの内側に設置されて、前記ハンドレールの駆動による回転運動を電力に変換する電力部と、
前記ハウジングの開口部の内面に設置され、前記電力部からの電力により前記ハンドレールに対して殺菌光を照射する紫外線ランプモジュールと、
を含むことを特徴とする自家動力型ハンドレール殺菌装置。
【請求項２】
前記電力部は、
前記ハンドレールの主面に可動密着して回転するローラ部と、
前記ローラ部に連動されるギア部と、
前記ギア部に連動して前記電力を生成する発電部と、を含むことを特徴とする請求項１に記載の自家動力型ハンドレール殺菌装置。
【請求項３】
前記電力部は、
前記ローラ部を加圧する加圧部をさらに含むことを特徴とする請求項２に記載の自家動力型ハンドレール殺菌装置。
【請求項４】
前記紫外線ランプモジュールは、
前記ハウジングの開口部の内周面に取り付けられる基板と、
前記基板の一面に取り付けられて前記ハンドレールに向かって前記殺菌光を照射する紫外線ランプと、
前記ハウジングの内周面に固定されて、前記ハンドレールにつく異物を除去する掃除ブラシと、を含むことを特徴とする請求項１に記載の自家動力型ハンドレール殺菌装置。
【請求項５】
前記紫外線ランプは、前記掃除ブラシを間に挟んで設置される第１サブランプ及び第２サブランプを含むことを特徴とする請求項４に記載の自家動力型ハンドレール殺菌装置。
【請求項６】
前記紫外線ランプは、ハンドレール移動方向と平行な方向に前記殺菌光を照射するように設置され、
前記紫外線ランプモジュールは、前記殺菌光を前記ハンドレール方向に反射させるための反射笠をさらに含むことを特徴とする請求項４に記載の自家動力型ハンドレール殺菌装置。
【請求項７】
前記ハウジングの外部を囲む保護カバーをさらに含むことを特徴とする請求項４に記載の自家動力型ハンドレール殺菌装置。
【請求項８】
前記基板の他面に設置されて、前記電力部の電力により発光するインジケーターランプをさらに含み、
前記保護カバーは、
前記インジケーターランプに対応する位置に形成された投光部をさらに含むことを特徴とする請求項７に記載の自家動力型ハンドレール殺菌装置。
【請求項９】
請求項１に記載されたハンドレール殺菌装置がエスカレーターのハンドレールの両側に対向して設置され、
前記ハンドレール殺菌装置の少なくとも一つは、
前記エスカレーターを通過する人を感知する感知センサと、
外部装置とデータ送受信をするための通信部と、
前記感知センサから伝送される出入者情報を前記通信部を通じて伝送する制御部とを含むことを特徴とするハンドレール殺菌装置を利用した出入者情報収集装置。
【請求項１０】
ハンドレール締結ホールが形成されたフレームと、
前記フレームをカバーし、ハンドレールをはめることができる開口部を備えるカバーケースと、
前記フレームの内側に設置され、前記ハンドレールに加圧密着して、前記ハンドレールの駆動による回転運動を電源に変換する自家電源部と、
前記フレームの外側および前記カバーケースの内側のいずれか一ヶ所に設置され、前記自家電源部の電源を整流して安定化する電源基板と、
前記フレームの内側に設置されて、前記電源基板からの電源を受けて前記ハンドレールに対して殺菌光を照射する紫外線ランプモジュールとを含むことを特徴とする自家動力型ハンドレール殺菌装置。
【請求項１１】
前記カバーケースは、
前記フレームの正面に対応し、歩行者を保護するために両側面がラウンド処理されている正面カバーと、
前記正面カバーの両側に設置される一対の側面カバーとを含むことを特徴とする請求項１０に記載の自家動力型ハンドレール殺菌装置。
【請求項１２】
前記正面カバーの底面は外部物体がハンドレールに挿入されないように曲面処理されることを特徴とする請求項１１に記載の自家動力型ハンドレール殺菌装置。
【請求項１３】
前記側面カバーは、
円形凹部及び前記円形凹部の中央に形成された締結ホールを有する側面カバーベースと、
前記締結ホールに螺合して前記側面カバーベースと前記フレームを締結し、前記円形凹部のサイズの頭部を有するねじ結合部とを備えることを特徴とする請求項１１に記載の自家動力型ハンドレール殺菌装置。
【請求項１４】
前記側面カバーのそれぞれの開口部に設置されて前記ハンドレールのサイズに応じて開口部のサイズを調節するスライディングドア部をさらに含むことを特徴とする請求項１１に記載の自家動力型ハンドレール殺菌装置。
【請求項１５】
前記自家電源部は、
第１領域と第２領域に区分される電源ケースと、
前記電源ケースと前記電源ケースを支持するための支持ロッドと、
前記第１領域に設置されて、前記ハンドレールの主面に密着して、前記ハンドレールの駆動により回転するローラ部と、
前記第２領域に設置され、前記ローラ部と連動して前記電源を発生する発電部と、
前記支持ロッドにはめられ、前記電源ケースが前記ハンドレールに対して加圧密着するようにするスプリングとを含むことを特徴とする請求項１０に記載の自家動力型ハンドレール殺菌装置。
【請求項１６】
前記電源ケースは、
第１電源側面ケースと、
前記第１電源側面ケースと鏡像である第２電源側面ケースと、
前記第１電源側面ケースと前記第２電源側面ケースとを締結する電源締結部とを含むことを特徴とする請求項１５に記載の自家動力型ハンドレール殺菌装置。
【請求項１７】
電源ケースには発電部の放熱のための放熱ホールが形成されることを特徴とする請求項１０に記載の自家動力型ハンドレール殺菌装置。
【請求項１８】
前記紫外線ランプモジュールは、
前記フレームの正面の内側に取り付けられる反射板と、
前記反射板の上に設置される基板と、
前記基板の一面に取り付けられて前記ハンドレールに向かって前記殺菌光を照射し、対に設置される紫外線ランプと、
前記紫外線ランプ間に設置されて、前記フレームに着脱可能に取り付けられるハンドレールブラシと、を含み、
前記フレームには、ブラシ締結ホールから延設されるブラシレールが形成され、
前記ハンドレールブラシは、
前記ブラシレールにはめられる固定部と、
前記固定部の上面に取り付けられるブラシ部とを含むことを特徴とする請求項１０に記載の自家動力型ハンドレール殺菌装置。
【考案の詳細な説明】
【技術分野】
【０００１】
本考案は、既存のエスカレーターやムービングウォークなどに簡単に施工できる、自家動力型ハンドレール殺菌装置及びハンドレール殺菌装置を用いた出入者情報収集装置に関する。
【背景技術】
【０００２】
一般に、エスカレーターやムービングウォークは、固定フレームを軸に続けて移動するようになっており、人の移動が多い所、例えば、地下鉄、デパート、空港などに用いられる。
【０００３】
このようなエスカレーターやムービングウォークには移動プレートの移動と共に移動するハンドレールが設置されており、通常歩行者は逆走や急停車などの万一の非常状況を考慮してハンドレールを手でつかむ。
【０００４】
従って、このハンドレールには多くの細菌が生息して、風邪や肺炎などの病の伝染に非常に大きい要因となる。
【０００５】
このようなエスカレーターのハンドレールを掃除する技術として、例えば、ハンドレールに水をかけてスクレーパーで掻き取った後、拭き器具で水分を除去する「ＣＬＥＡＮＩＮＧ ＤＥＶＩＣＥ ＦＯＲ ＡＲＭＲＥＳＴ ＢＥＬＴ ＣＯＮＶＥＹＯＲ ＯＦ ＴＨＥ ＥＬＥＣＴＲＩＣ ＥＳＣＡＬＡＴＯＲ」（米国特許第４９３４５１２号公報明細書）があった。
【０００６】
前記装置は、洗剤が含まれた水桶を備えなければならないため、体積が大きくなり、構造が複雑となる問題があった。
【０００７】
また、ハンドレールに水をかけるとき、水の量か多い場合、ハンドレールと固定フレームとの間に水が入り込んでハンドレールを駆動させるチェーンが腐食する恐れがあった。
【０００８】
一方、「移動歩道のハンドレール表面掃除器具」（大韓民国公開特許第１９９９−００２７２１６号公報）も案出されている。この装置は、ブラシでハンドレールの表面を拭くようになっている装置であり、ほこりは除去できるが、粘性のある汚染の掃除は困難であった。また、ハンドレールの表面による細菌などの伝播を防止できないという問題もあった。
【考案の概要】
【考案が解決しようとする課題】
【０００９】
本考案は、既存のエスカレーターやムービングウォークなどに簡単に施工できる、ハンドレール殺菌装置及びハンドレール殺菌装置を用いた出入者情報収集装置を提供することを目的とする。
【課題を解決するための手段】
【００１０】
上記課題を解決するために本考案の一実施形態の自家動力型ハンドレール殺菌装置は、エスカレーターまたはムービングウォークのハンドレールに締結される開口部を備えるハウジングと、前記ハウジングの内側に設置されて、前記ハンドレールの駆動による回転運動を電力に変換する電力部と、前記ハウジングの開口部の内面に設置され、前記電力部からの電力により前記ハンドレールに対して殺菌光を照射する紫外線ランプモジュールと、を含む。
【００１１】
ここで、前記電力部は、前記ハンドレールの主面に可動密着して回転するローラ部と、前記ローラ部に連動されるギア部と、前記ギア部に連動して前記電力を生成する発電部と、を含む。
【００１２】
ここで、前記電力部は、前記ローラ部を加圧する加圧部をさらに含む。
【００１３】
ここで、前記紫外線ランプモジュールは、前記ハウジングの開口部の内周面に取り付けられる基板と、前記基板の一面に取り付けられて前記ハンドレールに向かって前記殺菌光を照射する紫外線ランプと、前記ハウジングの内周面に固定されて、前記ハンドレールにつく異物を除去する掃除ブラシと、を含む。
【００１４】
ここで、前記紫外線ランプは、前記掃除ブラシを間に挟んで設置される第１サブランプ及び第２サブランプを含む。
【００１５】
ここで、前記紫外線ランプは、ハンドレール移動方向と平行な方向に前記殺菌光を照射するように設置され、前記紫外線ランプモジュールは、前記殺菌光を前記ハンドレール方向に反射させるための反射笠をさらに含む。
【００１６】
ここで、前記ハウジングの外部を囲む保護カバーをさらに含む。
【００１７】
ここで、前記自家動力型ハンドレール殺菌装置は、前記基板の他面に設置されて、前記電力部の電力により発光するインジケーターランプをさらに含み、前記保護カバーは、前記インジケーターランプに対応する位置に形成された投光部をさらに含む。
【００１８】
ここで、本考案の他の実施形態であるハンドレール殺菌装置を利用した出入者情報収集装置は、前述したハンドレール殺菌装置がエスカレーターのハンドレールの両側に対向して設置され、前記ハンドレール殺菌装置の少なくとも一つは、前記エスカレーターを通過する人を感知する感知センサと、外部装置とデータ送受信をするための通信部と、前記感知センサから伝送される出入者情報を前記通信部を通じて伝送する制御部とを含む。
【００１９】
本考案のまた他の実施形態である自家動力型ハンドレール殺菌装置は、ハンドレール締結ホールが形成されたフレームと、前記フレームをカバーし、前記ハンドレールをはめることができる開口部を備えるカバーケースと、前記フレームの内側に設置され、前記ハンドレールに加圧密着して、前記ハンドレールの駆動による回転運動を電源に変換する自家電源部と、前記フレームの外側および前記カバーケースの内側のいずれか一ヶ所に設置され、前記自家電源部の電源を整流して安定化する電源基板と、前記フレームの内側に設置されて、前記電源基板からの電源を受けて前記ハンドレールに対して殺菌光を照射する紫外線ランプモジュールとを含む。
【００２０】
ここで、前記カバーケースは、前記フレームの正面に対応し、歩行者を保護するために両側面がラウンド処理されている正面カバーと、前記正面カバーの両側に設置される一対の側面カバーとを含む。
【００２１】
ここで、前記正面カバーの底面は外部物体がハンドレールに挿入されないように曲面処理される。
【００２２】
ここで、前記側面カバーは、円形凹部及び前記円形凹部の中央に形成された締結ホールを有する側面カバーベースと、前記締結ホールに螺合して前記側面カバーベースと前記フレームを締結し、前記円形凹部のサイズの頭部を有するねじ結合部とを備える。
【００２３】
ここで、前記自家動力型ハンドレール殺菌装置は、前記側面カバーのそれぞれの開口部に設置されて前記ハンドレールのサイズに応じて開口部のサイズを調節するスライディングドア部をさらに含む。
【００２４】
ここで、前記自家電源部は、第１領域と第２領域に区分される電源ケースと、前記電源ケースと前記電源ケースを支持するための支持ロッドと、前記第１領域に設置されて、前記ハンドレールの主面に密着して、前記ハンドレールの駆動により回転するローラ部と、前記第２領域に設置され、前記ローラ部と連動して前記電源を発生する発電部と、前記支持ロッドにはめられ、前記電源ケースが前記ハンドレールに対して加圧密着するようにするスプリングとを含む。
【００２５】
ここで、前記電源ケースは、第１電源側面ケースと、前記第１電源側面ケースと鏡像である第２電源側面ケースと、前記第１電源側面ケースと前記第２電源側面ケースとを締結する電源締結部とを含む。
【００２６】
ここで、前記電源ケースには前記発電部の放熱のための放熱ホールが形成される。
【００２７】
ここで、前記紫外線ランプモジュールは、前記フレームの正面の内側に取り付けられる反射板と、
前記反射板の上に設置される基板と、前記基板の一面に取り付けられて前記ハンドレールに向かって前記殺菌光を照射し、対に設置される紫外線ランプと、前記紫外線ランプ間に設置されて、前記フレームに着脱可能に取り付けられるハンドレールブラシと、を含み、前記フレームには、前記ブラシ締結ホールから延設されるブラシレールが形成され、前記ハンドレールブラシは、前記ブラシレールにはめられる固定部と、前記固定部の上面に取り付けられるブラシ部とを含む。
【考案の効果】
【００２８】
前述した構成を有する本考案の一実施形態によると、簡単な構造で既存のエスカレーターやムービングウォークに装着でき、ハンドレールに生息する有害菌を殺菌処理して公衆衛生に寄与することができる。
【００２９】
また、殺菌光の照射範囲を広くして、殺菌効果を極大化することができる。
【００３０】
また、エスカレーターなどに出入りする人に関する情報を収集し、エスカレーター付近に設置されている広告などに対する広告費算定の基礎情報を提供することができる。
【図面の簡単な説明】
【００３１】
【図１】本考案による自家動力型ハンドレール殺菌装置の第１実施形態及び第３実施形態がエスカレーターに適用されている例を示す図である。
【図２】本考案による自家動力型ハンドレール殺菌装置の第１実施形態の斜視図である。
【図３】本考案による自家動力型ハンドレール殺菌装置の第１実施形態の分解斜視図である。
【図４】本考案による自家動力型ハンドレール殺菌装置の第１実施形態の背面図である。
【図５】本考案による自家動力型ハンドレール殺菌装置の第１実施形態の断面図である。
【図６】本考案による自家動力型ハンドレール殺菌装置の第１実施形態の紫外線ランプモジュールの正面斜視図である。
【図７】本考案による自家動力型ハンドレール殺菌装置の第１実施形態の紫外線ランプモジュールの背面斜視図である。
【図８】本考案の他の実施形態であり、自家動力型ハンドレール殺菌装置を用いた出入者情報収集装置の電子的な構成を説明するためのブロック構成図である。
【図９】本考案による自家動力型ハンドレール殺菌装置の第２実施形態の分解斜視図である。
【図１０】本考案による自家動力型ハンドレール殺菌装置の第２実施形態のうちカバーケースの斜視図である。
【図１１】本考案による自家動力型ハンドレール殺菌装置の第２実施形態のうちスライディングドア部を説明するための図である。
【図１２】本考案による自家動力型ハンドレール殺菌装置の第２実施形態のうち自家電源部の分解斜視図である。
【図１３】本考案による自家動力型ハンドレール殺菌装置の第２実施形態のうちブラシホールの取り付けを説明するための図である。
【図１４】本考案による自家動力型ハンドレール殺菌装置の第２実施形態のうち紫外線ランプとブラシの構造を説明するための図である。
【考案を実施するための形態】
【００３２】
以下、本考案の好ましい実施形態によるハンドレール殺菌装置及びハンドレール殺菌装置を用いた出入者情報収集装置について添付図面を参照して詳細に説明する。本考案においては、異なる実施形態であっても同一又は類似の構成要素には同一又は類似の符号を付し、重複する説明は省略する。
【００３３】
図１は、本考案による自家動力型ハンドレール殺菌装置の第１実施形態及び第３実施形態がエスカレーターに適用された例を示す図である。図１に示すように、エスカレーターＥは、出入りする人を移送させる移送階段部Ｓと、移送階段部Ｓの両側に設置されたハンドレールＨとから構成される。本考案によるハンドレール殺菌装置１００は、出入口側のハンドレールＨの下側に設置され、このハンドレール殺菌装置１００は、図１に示すように、対向して両側ハンドレールＨに設置される。
【００３４】
本考案によるハンドレール殺菌装置１００は、ハンドレールが移動する運動エネルギーを電気エネルギーに変換してハンドレール殺菌装置１００内に設置された紫外線ランプモジュール３０を駆動することにより、ハンドレールに生息する各種細菌を殺菌すると共に、掃除ブラシ３５でほこりなどの異物を除去して、ハンドレールを常に清潔な状態に維持する。
【００３５】
以下、図１に示すようにハンドレールに設置されるハンドレール殺菌装置１００の具体的な構成について、図２〜図５に参照してより詳細に説明する。
【００３６】
図２は、本考案による自家動力型ハンドレール殺菌装置の第１実施形態の斜視図であり、図３は、本考案による自家動力型ハンドレール殺菌装置の第１実施形態の分解斜視図であり、図４は、本考案による自家動力型ハンドレール殺菌装置の第１実施形態の背面図であり、図５は、本考案の一実施形態の自家動力型ハンドレール殺菌装置１００の断面図である。
【００３７】
図２に示すように、本考案によるハンドレール型殺菌装置１００は、全体的に
0003215321.tif 000003
字の形状となり、一側には、ハンドレールにはめられるようにする挿入部Ａが形成され、この挿入部Ａには、エスカレーターやムービングウォークのフレーム（Ｆ：強化ガラスや金属材又はプラスチックからなる。図１を参照）に固定するための固定部材Ｂが設置されている。ここで、固定部材Ｂは、圧着により前記フレームと締結されてハンドレール型殺菌装置１００を固定する。
【００３８】
図３〜図５を参照すると、本考案の第１実施形態であるハンドレール型殺菌装置１００は、大別して、ハウジング１０、電力部２０、紫外線ランプモジュール３０、及びカバー４０から構成される。
【００３９】
ハウジング１０は、エスカレーター又はムービングウォークのハンドレールに締結される開口部を備え、その内面に紫外線ランプモジュール３０が設置され、さらに、電力部２０を締結するための締結ホール１７が形成される。
【００４０】
電力部２０は、ハウジング１０の内側に設けられ、前記ハンドレールの駆動に伴う回転運動を電力に変換する機能を有する。より具体的に説明すると、電力部２０は、ハンドレールにおいて移動する主面に可動密着してハンドレールの移動により回転するローラ部２１、ローラ部２１の回転に連動するギア部２２、及びギア部２２に連動して電力を生成し、それを紫外線ランプモジュール３０に伝達する発電部２３を含む。この発電部２３は、図に示すように、ケーシング２５に締結され、このケーシング２５の一端には締結ピン２７が形成される。この締結ピン２７はハウジング１０の締結ホール１７に締結される。
【００４１】
一方、この締結ピン２７が締結ホール１７に締結されるときは、加圧スプリング（２９：加圧部）により締結される。この加圧スプリング２９は、ケーシング２５をハンドレール側に加圧してローラ部２１をハンドレールに密着する。従って、ハンドレールが曲線に移動する場合も、安定してローラ部２１をハンドレールに密着することができる。
【００４２】
紫外線ランプモジュール３０は、図３及び図４を参照すると、ハンドレールの反対側には電力部２０から供給される電源を整流して直流電源に変更する整流部及びＡＣ／ＤＣコンバータなどの電子部品Ｅが実装されるとともに、ハウジング１０の開口部の内面に取り付けられる基板３２と、基板３２の他面にハンドレールの方向に設置されてハンドレールに向けて殺菌光を照射する紫外線ランプ３１、３３と、前記紫外線ランプ３１、３３の殺菌光を反射させる反射笠３７と、紫外線ランプ３１、３３に隣接して設置され、ハンドレールの異物を除去する掃除ブラシ３５とから構成することができる。
【００４３】
以上の紫外線殺菌ランプの構造については、図６及び図７を参照してより詳細に説明する。
【００４４】
カバー４０は、図３に示すように、電力部２０及び紫外線ランプモジュール３０が外部に露出することを防止し、また、外部の衝撃からこれらを保護するための構成要素である。
【００４５】
このカバー４０は、より具体的に、カバー本体４１と、カバー本体４１に形成された透過ホール４２と、カバー蓋４４とから構成されてもよい。
【００４６】
このようなカバー本体４１の中央部には透過ホール４２が形成され、この透過ホール４２は、半透明部材４３で覆われる。これにより、基板３２に取り付けられたインジケーターランプ３８の光が外部から見え、これにより、外部からハンドレール殺菌装置１００が動作するか否かを確認することができる。
【００４７】
以下、図６及び図７を参照して、本考案による自家動力型ハンドレール殺菌装置の第１実施形態の紫外線ランプモジュール３０の構造についてより詳細に説明する。
【００４８】
図６は、本考案による自家動力型ハンドレール殺菌装置の第１実施形態の紫外線ランプモジュールの正面斜視図であり、図７は、本考案による自家動力型ハンドレール殺菌装置の第１実施形態の紫外線ランプモジュールの背面斜視図である。図６に示すように、紫外線ランプモジュール３０において、基板３２の一面には電子部品Ｅが実装され、また、紫外線ランプ３１、３３の動作を確認するためのインジケーターランプ３８が実装される。このインジケーターランプ３８の光はカバー４０の透過ホール４２に照射され、これにより、本考案によるハンドレール殺菌装置１００が動作するか否かを外部で確認することができる。
【００４９】
図７に示すように、紫外線ランプモジュール３０の２つのランプ、すなわち、第１サブランプ３１と第２サブランプ３３との間には掃除ブラシ３５が固定設置され、この掃除ブラシ３５は移動するハンドレールの異物を除去する機能を有する。
【００５０】
一方、第１サブランプ３１及び第２サブランプ３３は、ハンドレールの移動方向と平行な方向に殺菌光を照射するように設置され、この殺菌光は、円弧型の反射笠３７により反射してハンドレール側に照射される。以上のように構成して、殺菌光の照射範囲を最大に拡大することができ、これにより、殺菌効果を向上させることができる。すなわち、殺菌効果は、殺菌光の強度より殺菌光の照射時間がより重要であり、本考案のように構成すると、殺菌光の照射範囲が広くなってもう少し長時間殺菌対象となるハンドレールを照射することができる。従って、殺菌効果を極大化することができる。
【００５１】
また、第１サブランプ３１と第２サブランプ３３の殺菌光の一部は、掃除ブラシ３５に向き、掃除ブラシ３５に細菌が生息することを防止することができる。
【００５２】
以下、本考案の他の実施形態であるハンドレール殺菌装置１００を用いた出入者情報収集装置２００の電子的な構成を図８を参照して説明する。
【００５３】
図８は、本考案の他の実施形態である自家動力型ハンドレール殺菌装置を用いた出入者情報収集装置２００の電子的な構成を説明するためのブロック構成図である。本考案の一実施形態のハンドレール殺菌装置１００を用いた出入者情報収集装置２００は、電力部２０、紫外線ランプモジュール３０、バッテリ５０、感知センサ６０、通信部７０、メモリ８０、及び制御部９０を含んで構成される。
【００５４】
ここで、電力部２０及び紫外線ランプモジュール３０に関する説明は前述しているので、これに関する具体的な説明は省略する。
【００５５】
バッテリ５０は、電力部２０から生成される電力により充電され、紫外線ランプモジュール３０、感知センサ６０、通信部７０、及び制御部９０などに電力を供給する機能を有する。バッテリ５０は、２次電池として電力部２０により充電され、紫外線ランプモジュール３０などの電力消費によって放電する構成要素である。
【００５６】
感知センサ６０は、ハウジング１０の側面に設置され、エスカレーターやムービングウォークで移動する人を感知して人的情報を生成する構成要素である。このような感知センサ６０としては、対向する殺菌装置１００にそれぞれ受光部と発光部が設置されるフォトカプラーを用いてもよく、それ以外に、各種人体感知センサ、例えば、超音波センサなどを用いてもよい。
【００５７】
また、このような感知センサ６０としてカメラが用いられる場合、人的情報は、男性であるか女性であるか、成人であるか児童であるかなどを区別することができ、従って、より詳細な人的情報を生成することができる。
【００５８】
通信部７０は、制御部９０の制御により、感知センサ６０で取得した出入者情報、すなわち、人的情報を外部装置に送信する機能を有する。ここで、外部装置は、地下鉄広告管理サーバのようにエスカレーターやムービングウォークの近隣に位置する広告看板を管理する会社のサーバであってもよい。
【００５９】
メモリ８０は、前記人的情報及び本考案による出入者情報収集装置２００の起動プログラムを保存する機能を有する。制御部９０は、前記起動プログラムを動作して殺菌ランプを駆動するだけでなく、感知センサ６０からの出入者情報を通信部７０を通じて送信する。
【００６０】
以下、本考案による自家動力型ハンドレール殺菌装置の第２実施形態を図９〜図１４を参照してより詳細に説明する。
【００６１】
図９は、本考案による自家動力型ハンドレール殺菌装置の第２実施形態の分解斜視図である。図９に示すように、本考案の一実施形態の自家駆動型ハンドレール殺菌装置１００’は、フレーム１０’、自家電源部３０’、電源基板４０’、紫外線ランプモジュール５０’、ブラシ６０’、及びスライディングドア部７０’を含んで構成される。
【００６２】
フレーム１０’は、ハンドレールプレートと締結するための固定ユニット（例えば、ボルト締結部）が挿入されるハンドレール締結ホール１１’が側面に形成された構成要素であり、本考案の一実施形態の自家駆動型殺菌装置の骨組みとなる構成要素である。このフレーム１０’は、耐久性のためにサス（ＳＵＳ）などの金属材からなる。図に示すように、フレーム１０’にはハンドレール締結ホール１１’、ブラシ締結ホール１３’、及びカバー締結ホール１５’が形成され、内側には殺菌光を照射する紫外線ランプモジュール５０’が取り付けられる。
【００６３】
カバーケース２０’は、本考案の一実施形態の自家動力型ハンドレール殺菌装置１００’の外観を形成し、フレーム１０’を外部から保護するための構成要素である。より具体的に説明すると、カバーケース２０’は、正面カバー２１’と側面カバー２３’とから構成され、正面カバー２１’の内側には自家電源部３０’の電力を整流して安定化させる電源基板４０’が分離可能に設けられる。また、側面カバー２３’は、ねじ結合部２３’−５によりフレーム１０’と締結されるように構成される。これにより、電源基板４０’に故障が発生した場合、ねじ結合部２３’−５をフレーム１０’から分離することにより、正面カバー２１’を分離することができ、従って、電源基板４０’の交換が可能になる。カバーケース２０’の構造については図１０を参照してより詳細に説明する。
【００６４】
本詳細な説明においては電源基板４０’がカバーケース２０’に取り付けられているが、フレーム１０’側に取り付けることもできる。
【００６５】
自家電源部３０’は、フレーム１０’の内側に設けられ、前記ハンドレールに加圧密着して、前記ハンドレールの駆動に伴う回転運動を電源に変換する構成要素である。本考案において、自家電源部３０’は、電源ケースの内部に発電部とローラ部が内蔵される。これについては、以下、図１２を参照してより詳細に説明する。
【００６６】
電源基板４０’は、正面カバー２１’の内側に螺合で分離可能に設けられ、自家発電部から供給される不安定な電力を整流及び安定化させてフレーム１０’の内側に設けられる紫外線ランプモジュール５０’に電源を供給する役割を果たす。一方、電源基板４０’には、インジケーター発光部４１’が配置され、正面カバー２１’の投光部２１’−３’に動作光を照射する。
【００６７】
紫外線ランプモジュール５０’は、フレーム１０’の内側に設けられ、電源基板４０’からの電源の供給を受けて前記ハンドレールに殺菌光を照射して、ハンドレールに生息する細菌やウイルスを殺菌処理する機能を有する。本考案においては、十分な照射光領域を確保するために一対に設置され、その間に微細ほこりなどの異物を除去するためのハンドレールブラシ６０’が設置される。紫外線ランプモジュール５０’及びハンドレールブラシ６０’の構造については図１３及び図１４を参照してより詳細に説明する。
【００６８】
スライディングドア部７０’は、側面カバー２３’に取り付けられ、ハンドレールＨの厚さに応じて、延長縮小可能に設けられる構成要素である。このスライディングドア部７０’により側面カバー２３’とハンドレールＨとの間から異物が内部に入ることを防止できるので、ほこりが故障の原因となることを防止することができる。スライディングドア部７０’の設置及び動作については図４を参照してより詳細に説明する。
【００６９】
以下、図１０〜図１４を参照して、各構成要素である、カバーケース２０’、自家電源部３０’、ハンドレールブラシ６０’、紫外線ランプモジュール５０’、ハンドレールブラシ６０’、スライディングドア部７０’の構造についてより詳細に説明する。
【００７０】
図１０は、本考案による自家動力型ハンドレール殺菌装置の第２実施形態のうちカバーケースの斜視図である。図に示すように、正面カバー２１’及び側面カバー２３’の角部の部分はラウンド処理（側面ラウンド部２１’−１’）されて歩行者がハンドレール殺菌装置１００’にぶつかって負傷することを防止する。また、正面カバー２１’の上部中央部には投光部２１’−３’が設置される。この投光部２１’−３’は、インジケーター発光部４１’から発光する光を透過させる役割を果たす。すなわち、自家電源部３０’から電力が発生して電源基板４０’でこれを整流及び安定化して紫外線ランプモジュール５０’に電源を供給すると、インジケーター発光部４１’も発光し、このインジケーター発光部４１’の光が投光部２１’−３’を通じて外部に照射されると、歩行者及び管理者は、自家動力型ハンドレール殺菌装置１００’が正常動作することを認知するだけでなく、デザインの側面でも非常に魅力的な形態を有するようになる。
【００７１】
また、正面カバー２１’の底面には底面ラウンド部２１’−２が形成される。本考案による自家動力型ハンドレール殺菌装置１００’がエスカレーターの下側に設置されると（図１を参照）、自家動力型ハンドレール殺菌装置１００’とエスカレーターの間に靴ひもやカバン紐、服などの異物が挟まれて事故が発生する可能性がある。本考案の一実施形態によると、底面ラウンド部２１’−２が形成されてこれを防止することができる。
【００７２】
一方、側面カバー２３’は、円形凹部２３’−２及び円形凹部２３’−２の中央に形成された締結ホール２３’−３’を有する側面カバーベース２３’−１’と、凹部２３’−２にはめ込まれるＯリング部２３’−４と締結ホール２３’−３’に螺合して側面カバーベース２３’−１’とフレーム１０’を締結し、円形凹部２３’−１’の深さと同一の厚さを有する頭部を有するねじ結合部２３’−５とを含んで構成される。これにより、ねじ結合部２３’−５を回転して側面カバー２３’をフレーム１０’と締結または分離する。維持管理のために分解が必要である場合、側面カバー２３’の中央に位置するねじ結合部２３’−５を回転することにより簡単に分離することができる。また、Ｏリング部２３’−４をさらに備えることにより、デザインの側面からより優れているだけでなく、ねじ結合部２３’−５を別途の道具を使用せずに指の摩擦力で回転することができる。
【００７３】
側面カバー２３’の上側角部も正面カバー２１’の側面ラウンド部２１’−１’に続いてラウンド処理（側面カバーラウンド部２３’−８）することにより、デザイン的に優れているだけでなく、事故を予防することができる。
【００７４】
図１１は、本考案による自家動力型ハンドレール殺菌装置の第２実施形態のうちスライディングドア部を説明するための図である。図１１に示すように、スライディングドア部７０’は、側面カバー２３’の開口部２３’−６の内側に設けられているレール２３’−７にレール結合される。また、スライディングドア部７０’は把持部７１’を含んでもよい。従って、本考案による自家動力型ハンドレール殺菌装置１００’を設置する人は、ハンドレールの幅に応じて把持部７１’を手に取って、スライディングドア部７０’を延長又は縮小することができる。すなわち、これにより、自家動力型ハンドレール殺菌装置１００’の内部に微細ほこりなどの異物が入ることを防止することができる。
【００７５】
図１２は、本考案による自家動力型ハンドレール殺菌装置の第２実施形態のうち自家電源部の分解斜視図である。図１２に示すように、本考案の一実施形態の自家動力型ハンドレール殺菌装置１００’に用いられる自家電源部３０’は、第１側面電源ケース３１’−１’及び第２側面電源ケース３１’−２から構成される電源ケース３１’、支持ロッド３２’、ローラ部３３’、発電部３４’、及びスプリング３５’を含んで構成される。
【００７６】
電源ケース部３１’は、第１態様電源ケース３１’−１’と第２態様カバーケース３１’−２が螺合して形成される第１領域Ａ’及び第２領域Ｂ’を備える。電源ケース部３１’は、熱伝導性プラスチックで製造され、発電部３４の熱を外部に伝導させるだけでなく、成形性を優秀にすることができる。また、電源ケース部３１’の側面には発電部３４の放熱のための放熱ホール３１’−３’が形成されてもよい。
【００７７】
支持ロッド３２’は、図に示すように、電源ケース部３１’に形成された締結ホール３１’−４を貫通して設けられて、自家電源部３０’がフレーム１０’に設置されるようにする。支持ロッド３２’にはスプリング３５’がはめられ、このスプリング３５’の一端は電源ケース３１’を支持するように折曲形成され、他端はフレーム１０’に支持されるように折曲形成される。従って、無負荷状態では、電源ケース部３１’がスプリング３５’により水平に維持され、自家動力型ハンドレール殺菌装置１００’がハンドレールＨに装着されることによりスプリング３５’により加圧回転して自家動力型ハンドレール殺菌装置１００’がハンドレールＨ’に加圧密着する。
【００７８】
一方、ローラ部３３’は、その表面がゴムなどの高い摩擦力の材質から形成され、その側面にはローラギア３３’−１’が設置されてこれが発電ギア３４’−１’と連動してハンドレールにより発生するローラ部３３’の回転力を発電部３４に伝達する。発電部３４’は、このようなローラ部３３’の回転力を電力に変換し、それを電源基板４０’に供給する。
【００７９】
図１３は、本考案による自家動力型ハンドレール殺菌装置の第２実施形態のうちブラシホールの取り付けを説明するための図である。図１３に示すように、フレーム１０’の側面には複数のホール１１’、１３’、１５’があり、それらのうちブラシ締結ホール１３’がある。ブラシ締結ホール１３’は、ブラシ６０’の高さ分の長さを有し、ブラシ締結ホール１３’から延設されるブラシレール（図示せず）がある。ブラシ６０’は、図に示すように、水平に横にした状態で、ブラシ締結ホール１３’を貫通してブラシレールにブラシ６０’の固定部６１’がはまって固定される。すなわち、ハンドレールブラシ６０’は、前記ブラシレールにはめられる固定部６１’と、前記固定部の上面に取り付けられるブラシ部６３’とを含み、この固定部によりハンドレールブラシ６０’がフレーム１０’に着脱可能にスライディング結合され、ブラシ６０’の交換が簡単にできる。
【００８０】
図１４は、本考案による自家動力型ハンドレール殺菌装置の第２実施形態のうち紫外線ランプとブラシ６０’の構造を説明するための図である。図に示すように、本考案の一実施形態の自家動力型ハンドレール殺菌装置１００’は、一対の紫外線ランプモジュール５０’が取り付けられ、その間にハンドレールに取り付けられた微細ほこりなどを除去するためのハンドレールブラシ６０’が位置する。
【００８１】
紫外線ランプモジュール５０’は、フレーム１０’の正面の内側に取り付けられて紫外線ランプから発生する光をハンドレール側に反射させる反射板５１、５１’と、前記反射板上に設置されるランプ基板５３’と、前記ランプ基板の一面に取り付けられてハンドレールＨに向かって前記殺菌光を照射する紫外線ランプ５５’とから構成される。このような紫外線ランプモジュール５０’のうちランプ基板５３’と紫外線ランプ５５’はモジュールとして構成されて反射板５１’, ５１”に螺合により取り付けられ、ランプ５５’又は基板５３’に問題が発生した場合、簡単にモジュール化した部品を交換できるように構成される。
【００８２】
一方、反射板５１’, ５１”のうち上側に位置する反射板５１’は、紫外線ランプ５５’の光が外部に露出しないように
0003215321.tif 000004
字状に折曲した形状を有する。
【００８３】
一方、紫外線ランプとしては、製造コストが低い陰極線管を用いてもよい。
【００８４】
前述した構成を有する本考案の一実施形態によると、簡単な構造で既存のエスカレーターやムービングウォークに装着でき、ハンドレールに生息する有害菌を殺菌処理して公衆衛生に寄与することができる。
【００８５】
また、本考案の一実施形態によると、カバーケースをラウンド処理してエスカレーターやムービングウォークに装置するとき、カバンや異物がハンドレールと本考案の装置間に挟まれて故障が発生することを防止することができる。
【００８６】
また、本考案の一実施形態によると、掃除用ブラシに対する簡単な交換構造を形成して維持管理の利便性を向上させる。
【００８７】
また、殺菌光の照射範囲を広くして、殺菌効果を極大化することができる。
【００８８】
また、エスカレーターなどに出入りする人に関する情報を収集して、エスカレーター付近に設置されている広告などに対する広告費算定の基礎情報を提供することができる。
【００８９】
前述したように説明されているハンドレール殺菌装置及びハンドレール殺菌装置を用いた出入者情報収集装置は、上記実施形態の構成や方法に限定されるものではなく、各実施形態の全部又は一部を選択的に組み合わせて構成することで様々に変形することができる。
【図１】
0003215321.tif 000005
【図２】
0003215321.tif 000006
【図３】
0003215321.tif 000007
【図４】
0003215321.tif 000008
【図５】
0003215321.tif 000009
【図６】
0003215321.tif 000010
【図７】
0003215321.tif 000011
【図８】
0003215321.tif 000012
【図９】
0003215321.tif 000013
【図１０】
0003215321.tif 000014
【図１１】
0003215321.tif 000015
【図１２】
0003215321.tif 000016
【図１３】
0003215321.tif 000017
【図１４】
0003215321.tif 000018